(57)【要約】【課題】安全性を確保し、安価で且つ小型な便座の丸洗いを可能とすること。【解決手段】便座１内に配設された便座１を温める発熱手段２を、同じく便座１内に配設された温度検出手段３によって検出した便座１の表面温度に応じて、制御手段４が便座１の表面温度をある所定の温度になるよう制御を行っている。また、電力遮断手段６は温度検出手段３がある所定の異常温度を検出した場合に発熱手段２への電力の供給を遮断し、その後、遮断解除手段７により発熱手段２への電力の供給の解除することにより、便座１が製品本体から取り外された場合に製品本体と便座１との接続部分の充電部に電力が供給されないため使用者が安全に便座１を取り外して丸洗いを行うことが可能となり、この結果、便座１の掃除が迅速且つ確実に行え、便座１を清潔に保持できる。また、非常に小型で且つ安価で、使用者に丸洗い可能な便座１を提供することができる。【選択図】図１
2005143542.tif 000002
【特許請求の範囲】
【請求項１】
便座内に配設された便座を温める発熱手段と、便座表面の温度を検出する便座内に配設された温度検出手段と、前記温度検出手段の検出値に応じて便座表面が所定の温度になるように前記発熱手段への通電を制御する制御手段と、前記温度検出手段が異常を検出した場合に前記発熱手段への電力の供給を遮断する電力遮断手段と、前記電力遮断手段の前記発熱手段への電力の遮断を解除する遮断解除手段とを備えた衛生洗浄装置。
【請求項２】
便座内に配設された便座を温める発熱手段と、便座表面の温度を検出する便座内に配設された温度検出手段と、便座表面の温度を少なくとも２つ以上の異なる値に設定する温度設定手段と、前記温度検出手段の検出値と前記温度設定手段の設定値とに応じて便座表面が所定の温度になるように前記発熱手段への通電を制御する制御手段と、前記温度検出手段が異常を検出した場合に前記発熱手段への電力の供給を遮断する電力遮断手段とを有し、前記電力遮断手段は前記発熱手段への電力の供給を遮断しているときに前記温度設定手段が操作された場合には前記発熱手段への電力の供給の遮断を解除することを特徴とした衛生洗浄装置。
【請求項３】
便座内に配設された便座を温める発熱手段と、便座表面の温度を検出する便座内に配設された温度検出手段と、前記温度検出手段の検出値に応じて便座表面が所定の温度になるように前記発熱手段への通電を制御する制御手段と、前記温度検出手段が異常を検出した場合に前記発熱手段への電力の供給を遮断する電力遮断手段と、便座の開閉状態を検出する便座開閉検出手段とを有し、前記電力遮断手段は前記便座開閉検出手段が便座開状態と検出した場合には前記温度検出手段の検出値に関わらず前記発熱手段への電力の供給を遮断することを特徴とした衛生洗浄装置。
【請求項４】
電力遮断手段は、前記便座開閉検出手段が便座閉状態と検出した場合には前記発熱手段への電力の供給の遮断を解除することを特徴とした請求項４記載の衛生洗浄装置。
【請求項５】
便座内に配設された便座を温める発熱手段と、便座表面の温度を検出する便座内に配設された温度検出手段と、前記温度検出手段の検出値に応じて便座表面が所定の温度になるように前記発熱手段への通電を制御する制御手段と、前記温度検出手段が異常を検出した場合に前記発熱手段への電力の供給を遮断する電力遮断手段とを有し、前記電力遮断手段は前記発熱手段への電力の供給を遮断しているときはある所定の時間毎に前記発熱手段への電力の供給の遮断を解除することを特徴とした衛生洗浄装置。
【請求項６】
電力遮断手段は、製品に電力の供給が開始されたときには前記発熱手段への電力の供給の遮断を解除していることを特徴とした請求項１から５のいずれか１項に記載の衛生洗浄装置。
【発明の詳細な説明】
【技術分野】
【０００１】
本発明は、衛生洗浄装置の便座表面を発熱手段により加熱し採暖する便座暖房装置に関するものである。
【背景技術】
【０００２】
従来、この種の衛生洗浄装置の便座暖房装置としては、発振トランスを用いて製品本体と便座とを電気的に分離することにより便座の丸洗いを提供する構成が採用されている。
【０００３】
例えば、図７、８に示すように、便座１内に配設された便座１を温める発熱手段２を、同じく便座１内に配設された温度検出手段３によって検出した便座１の表面温度に応じて、制御手段４が便座１の表面温度をある所定の温度になるように制御を行っている。
【０００４】
このとき、発振トランスの一次巻線５１側を製品本体側に配置し、二次巻線５２側を便座側に配置しており、便座１と製品本体とは電気的に分離している（例えば、特許文献１参照）。
【特許文献１】特開平０３−２８６７２８号公報
【発明の開示】
【発明が解決しようとする課題】
【０００５】
しかしながら、前記従来の構成では、一般的に用いられている発熱手段２のワット容量が数十ワット程度のもので、発振トランスの一次巻線５１及び二次巻線５２としては非常に大きいものを使用しなければならず、製品内におけるスペースが必要であるため、製品自身が非常に大きくなってしまう。また、発振トランス自身のコストも高いものであり、それに伴って製品自身の値段が非常に高いものになってしまうという課題を有していた。
【０００６】
本発明は、前記従来の課題を解決するもので、安全性を確保し、非常に安価で且つ小型で便座１の丸洗いを可能とした衛生洗浄装置を提供することを目的とする。
【課題を解決するための手段】
【０００７】
前記従来の課題を解決するために、本発明の衛生洗浄装置は、便座内に配設された便座を温める発熱手段を、同じく便座内に配設された温度検出手段によって検出した便座の表面温度に応じて、制御手段が便座の表面温度をある所定の温度になるよう制御を行っている。また、電力遮断手段は温度検出手段がある所定の異常温度を検出した場合に発熱手段への電力の供給を遮断し、その後、遮断解除手段の操作に応じて発熱手段への電力の給電の遮断を解除するものである。
【０００８】
本構成によって、便座が製品本体から取り外されてから遮断解除手段が操作されるまで製品本体と便座との接続部分の充電部に電力が供給されないため使用者が安全に便座を取り外して丸洗いを行うことが可能となる。その後、遮断解除手段を操作することで発熱手段への給電が開始されることとなる。この結果、便座の掃除が迅速且つ確実に行え、便座を清潔に保持できる。
【０００９】
また、安全性を確保し、非常に小型で且つ安価で、使用者に丸洗い可能な便座を提供することができる。
【発明の効果】
【００１０】
本発明の衛生洗浄装置は、遮断解除手段によって、電力遮断手段の発熱手段への電力の供給の遮断を解除することで、便座が一旦取り外されてから遮断解除手段が操作されるまで一切製品本体と便座との接続部分の充電部に電力が供給されないため、使用者が安全に便座を取り外して丸洗いを行うことが可能となり、この結果、便座の掃除が迅速且つ確実に行え、便座を清潔に保持できる。
【発明を実施するための最良の形態】
【００１１】
第１の発明は、便座内に配設された便座を温める発熱手段と、便座表面の温度を検出する便座内に配設された温度検出手段と、温度検出手段の検出値に応じて便座表面が所定の温度になるように発熱手段への通電を制御する制御手段と、温度検出手段が異常を検出した場合に発熱手段への電力の供給を遮断する電力遮断手段と、電力遮断手段の発熱手段への電力の遮断を解除する遮断解除手段とを有し、遮断解除手段によって電力遮断手段の発熱手段への電力の供給の遮断を解除することにより、便座が一旦取り外されてから遮断解除手段が操作されるまで一切製品本体と便座との接続部分の充電部に電力が供給されないため、使用者が安全に便座を取り外して丸洗いを行うことが可能となり、この結果、便座の掃除が迅速且つ確実に行え、便座を清潔に保持できる。
【００１２】
また、安全性を確保し、非常に小型で且つ安価で、使用者に丸洗い可能な便座を提供することができる。
【００１３】
第２の発明は、便座内に配設された便座を温める発熱手段と、便座表面の温度を検出する便座内に配設された温度検出手段と、便座表面の温度を少なくとも２つ以上の異なる値に設定する温度設定手段と、温度検出手段の検出値と温度設定手段の設定値とに応じて便座表面が所定の温度になるように発熱手段への通電を制御する制御手段と、温度検出手段が異常を検出した場合に発熱手段への電力の供給を遮断する電力遮断手段とを有し、電力遮断手段が、温度設定手段が操作された場合に発熱手段への電力の供給の遮断を解除することにより、新たに遮断解除用に部品を追加することなく、安全性を確保し、非常に小型で且つ安価で、使用者に丸洗い可能な便座を提供することができる。
【００１４】
第３の発明は、便座内に配設された便座を温める発熱手段と、便座表面の温度を検出する便座内に配設された温度検出手段と、温度検出手段の検出値に応じて便座表面が所定の温度になるように発熱手段への通電を制御する制御手段と、温度検出手段が異常を検出した場合に発熱手段への電力の供給を遮断する電力遮断手段と、便座の開閉状態を検出する便座開閉検出手段をと有し、電力遮断手段が、便座開閉検出手段が便座開状態と検出した場合には温度検出手段の検出値に関わらず発熱手段への電力の供給を遮断することにより、使用者が便座を取り外す際に製品本体と便座との接続部分の充電部に電力が供給されないようになるため、使用者が安全に便座を取り外して丸洗いを行うことが可能となり、この結果、便座の掃除が迅速且つ確実に行え、便座を清潔に保持できる。
【００１５】
また、安全性を確保し、非常に小型で且つ安価で、使用者に丸洗い可能な便座を提供することができる。
【００１６】
第４の発明は、電力遮断手段は、便座開閉検出手段が便座閉状態と検出した場合には発熱手段への電力の供給の遮断を解除することにより、使用者が便座を取り付けて実際に使用するまでの間、一切製品本体と便座との接続部分の充電部に電力が供給されないため、使用者が安全に便座を取り外して丸洗いを行うことが可能となり、この結果、便座の掃除が迅速且つ確実に行え、便座を清潔に保持できる。
【００１７】
また、安全性を確保し、非常に小型で且つ安価で、使用者に丸洗い可能な便座を提供することができる。
【００１８】
第５の発明は、便座内に配設された便座を温める発熱手段と、便座表面の温度を検出する便座内に配設された温度検出手段と、温度検出手段の検出値に応じて便座表面が所定の温度になるように発熱手段への通電を制御する制御手段と、温度検出手段が異常を検出した場合に発熱手段への電力の供給を遮断する電力遮断手段とを有し、電力遮断手段が、発熱手段への電力の供給を遮断しているときはある所定の時間毎に発熱手段への電力の供給の遮断を解除することにより、便座が取り付けられた場合にユーザーが意識しなくても発熱手段への電力の供給が再開されるため、快適に本製品を使用することができる。
【００１９】
第６の発明は、電力遮断手段が、製品に電力の供給が開始されたときには発熱手段への電力の遮断を解除していることにより、製品取り付け時に使用者がわざわざ発熱手段への電力の供給を開始させる必要がなく、快適に本製品を使用することができる。
【００２０】
以下本発明の実施の形態について、図面を参照しながら説明する。なお本実施の形態によって発明が限定されるものではない。
【００２１】
（実施の形態１）
図１は本発明の実施の形態１における衛生洗浄装置の概略図である。図２は本発明の実施の形態１における衛生洗浄装置のブロック図である。
【００２２】
図１、図２に示すように、便座１内に配設された便座１を温める発熱手段２を、同じく便座１内に配設された温度検出手段３によって検出した便座の表面温度に応じて、制御手段４が便座１の表面温度をある所定の温度になるよう制御を行っている。また、電力遮断手段６は温度検出手段３がある所定の異常温度を検出した場合に発熱手段２への電力の供給を遮断し、その後、遮断解除手段７の操作によって発熱手段２への電力の供給の遮断を解除する。
【００２３】
以上のように構成された衛生洗浄装置について、以下その動作、作用を説明する。
【００２４】
通常、使用者が本製品を使用する場合には製品本体に便座１を接続しているため、便座１内に配設された温度検出手段３は、便座１の表面温度として、室温から便座１の所定の設定温度までの範囲を検出することとなる。逆に、使用者が製品の掃除等を行う際に便座１を製品本体から取り外した場合には、温度検出手段３は制御手段４に対して開放状態となる。
【００２５】
そこで、温度検出手段３においてある所定の異常温度を検出した場合に、電力遮断手段６が発熱手段２への電力の供給を遮断する。また、その後、遮断解除手段７を操作することで電力遮断手段６は発熱手段２への電力の供給の遮断を解除する。そのことにより、便座１が製品本体から取り外された場合に製品本体と便座１との接続部分の充電部に電力が供給されないことはもちろん、使用者が遮断解除手段７を操作するまでの間一切製品本体と便座１との接続部分の充電部に電力が供給されないため、使用者が安全に便座１を取り外して丸洗いを行うことが可能となり、この結果、便座１の掃除が迅速且つ確実に行え、便座１を清潔に保持できる。
【００２６】
また、安全性を確保し、非常に小型で且つ安価で、使用者に丸洗い可能な便座１を提供することができる。
【００２７】
（実施の形態２）
図３は本発明の実施の形態２における衛生洗浄装置のブロック図である。
【００２８】
図３に示すように、便座１内に配設された便座１を温める発熱手段２を、同じく便座１内に配設された温度検出手段３によって検出した便座の表面温度と温度設定手段８にて設定された設定温度に応じて制御手段４が便座１の表面温度の制御を行っている。また、電力遮断手段６は温度検出手段３がある所定の異常温度を検出した場合に発熱手段２への電力の供給を遮断し、温度設定手段８が操作されたことによって発熱手段２への電力の供給の遮断を解除する。
【００２９】
そこで、電力遮断手段６の発熱手段２への電力の供給の遮断を解除するために新たに専用のＳＷを設けることなく、安全性を確保し、非常に小型で且つ安価で、使用者に丸洗い可能な便座１を提供することができる。
【００３０】
（実施の形態３）
図４は本発明の実施の形態３における衛生洗浄装置の概略図である。図４は本発明の実施の形態３における衛生洗浄装置のブロック図である。
【００３１】
図４、図５に示すように、便座１内に配設された便座１を温める発熱手段２を、同じく便座１内に配設された温度検出手段３によって検出した便座の表面温度に応じて、制御手段４が便座１の表面温度をある所定の温度になるよう制御を行っている。また、電力遮断手段６は温度検出手段３がある所定の異常温度を検出した場合に発熱手段２への電力の供給を遮断している。また、便座開閉検出手段９によって便座１が開状態にある場合には、電力遮断手段６は温度検出手段３の検出値に関わらず発熱手段２への電力の供給を遮断する。
【００３２】
通常、使用者が本製品から便座１を取り外す場合には便座１が開の状態になることが一般的である。また、便座１を開の状態にして使用者が製品に着座し製品を使用することはない。
【００３３】
そこで、便座開閉検出手段９が、便座１が開の状態にあると検出した場合に、電力遮断手段６が発熱手段２への電力の供給を遮断することにより、便座１が製品本体から取り外す際に製品本体と便座１との接続部分の充電部に電力が供給されないため、使用者が安全に便座１を取り外して丸洗いを行うことが可能となり、この結果、便座１の掃除が迅速且つ確実に行え、便座１を清潔に保持できる。
【００３４】
また、安全性を確保し、非常に小型で且つ安価で、使用者に丸洗い可能な便座１を提供することができる。
【００３５】
（実施の形態４）
また、便座開閉検出手段９によって便座１が閉の状態にある場合には、電力遮断手段６は発熱手段２への電力の供給の遮断を解除する。
【００３６】
通常、使用者が便座１に着座し製品を使用する場合には便座１を閉の状態にしている。
【００３７】
そこで、便座開閉検出手段９が、便座１が閉の状態にあると検出した場合に、電力遮断手段６が発熱手段２への電力の供給の遮断を解除することにより、便座１が製品本体から取り外された後、再度取り付けられ、実際に使用するまでの間、一切製品本体と便座１との接続部分の充電部に電力が供給されないため、使用者が安全に便座１を取り外して丸洗いを行うことが可能となり、この結果、便座１の掃除が迅速且つ確実に行え、便座１を清潔に保持できる。
【００３８】
また、安全性を確保し、非常に小型で且つ安価で、使用者に丸洗い可能な便座１を提供することができる。
【００３９】
（実施の形態５）
図６は本発明の実施の形態１における衛生洗浄装置のブロック図である。
【００４０】
図６に示すように、便座１内に配設された便座１を温める発熱手段２を、同じく便座１内に配設された温度検出手段３によって検出した便座の表面温度に応じて、制御手段４が便座１の表面温度をある所定の温度になるよう制御を行っている。また、電力遮断手段６は温度検出手段３がある所定の異常温度を検出した場合に発熱手段２への電力の供給を遮断し、その後、温度検出手段３がある所定の正常値を検出するまでの間、ある所定の時間毎に発熱手段２への電力の供給の遮断を解除する。更に、発熱手段２への電力の供給の遮断を解除したときに温度検出手段３がある所定の異常温度を検出し続けていた場合は直ちに発熱手段２への電力の供給を遮断する。
【００４１】
電力遮断手段６が、ある所定の時間毎に発熱手段２への電力の遮断を解除することで、便座が取り付けられた場合に使用者が意識しなくても発熱手段２への電力の供給が再開されるため、快適に本製品を使用することができる。
【００４２】
（実施の形態６）
電力遮断手段６が、製品に電力の供給が開始されたときには発熱手段２への電力の遮断を解除していることで、製品取り付け時に使用者がわざわざ発熱手段２への電力の供給を開始させる必要がなく、快適に本製品を使用することができる。
【産業上の利用可能性】
【００４３】
以上のように、本発明にかかる衛生洗浄装置は、便座の着脱構成を安価に且つ安全に実現することができる。
【図面の簡単な説明】
【００４４】
【図１】本発明の実施の形態１における衛生洗浄装置の概略図
【図２】本発明の実施の形態１における衛生洗浄装置のブロック図
【図３】本発明の実施の形態２における衛生洗浄装置のブロック図
【図４】本発明の実施の形態３及び４における衛生洗浄装置の概略図
【図５】本発明の実施の形態３及び４における衛生洗浄装置のブロック図
【図６】本発明の実施の形態５における衛生洗浄装置のブロック図
【図７】従来の衛生洗浄装置の概略図
【図８】従来の衛生洗浄装置のブロック図
【符号の説明】
【００４５】
１  便座
２  発熱手段
３  温度検出手段
４  制御手段
５１  発振トランスの一次巻線
５２  発振トランスの二次巻線
６  電力遮断手段
７  遮断解除手段
８  温度設定手段
９  便座開閉検出手段
【図１】
2005143542.tif 000003
【図２】
2005143542.tif 000004
【図３】
2005143542.tif 000005
【図４】
2005143542.tif 000006
【図５】
2005143542.tif 000007
【図６】
2005143542.tif 000008
【図７】
2005143542.tif 000009
【図８】
2005143542.tif 000010